(57)【要約】【課題】従来の複数の反射面を使用して１つの光源からの光をを照射方向に反射させ、あたかも多数の光源が点灯しているように見せる灯具では、光源の写像が点状であり、美観の乏しいという問題点を生じていた。【解決手段】本発明により、比較的に発光面積の広いチップ型のＬＥＤ４を光源として採用すると共に、そのＬＥＤの発光面に導光体５を設置することで、実質的に発光面積を拡げると共に、導光体により光源の形状を自在にとし、線状、模様状の発光も可能として、この種の灯具ユニット１の見栄えを向上させて用途の拡大を可能とし課題を解決するものである。【選択図】図１
2008084699.tif 000002
【特許請求の範囲】
【請求項１】
円板状若しくは多角形状とした光源設置面と、前記光源設置面と直角以上の角度で接する反射面とからなり、前記光源設置面の上部にはこの光源設置面の下面に設置された面状光源からの光を光源設置面の上部に導き、前記反射面に達する光量を増加させて視認性を向上させるための導光体が設けられていることを特徴とする灯具ユニット。
【請求項２】
前記光源設置面の形状、これに対応する前記反射面の面数、取付け角度、前記導光体の形状を変更することで、様々な発光状態の設定がを可能とする請求項１記載の灯具ユニット。
【請求項３】
前記導光体が略錐状とされていることを特徴とする請求項１または請求項２記載の灯具ユニット。
【請求項４】
前記導光体が略柱状とされていることを特徴とする請求項１または請求項２記載の灯具ユニット。
【請求項５】
前記導光体が略柱状とされ、表面に紋様が施されていることを特徴とする請求項４記載の灯具ユニット。
【請求項６】
前記ＬＥＤがチップタイプであることを特徴とする請求項１〜請求項５の何れかに記載の灯具ユニット。
【発明の詳細な説明】
【技術分野】
【０００１】
本発明は、ＬＥＤを光源とする灯具ユニットであり、詳細には、１つのＬＥＤに対して２面以上の反射面が観視側に適宜に開く角度として設けられ、ＬＥＤの像が反射面間を往復して写ることで、あたかも、複数のＬＥＤが点灯しているかのように見せて、少ないＬＥＤの数で豪華感などの演出を可能とする灯具ユニットの構成に係るものである。
【背景技術】
【０００２】
従来のこの種の灯具ユニット９０の構成の例を示すものが図５であり、正三角形とした光源取付面９１ａの上面にはＬＥＤ９２が取付けられている。そして、前記光源取付板９１ａは、この光源取付板９１ａの辺の数と同数である３枚の反射面９１ｂで取り囲まれるものとなっている。
【０００３】
このとき、前記３枚の反射面９１ｂは、前記光源取付板９１ａとは直角以上の角度で接するものとされ、前記光源取付板９１ａ上に取付けられたＬＥＤ９２の写像ＩＧが前方から観視できるようにされている。このようにすることで、例えば、車両のテールランプなどのように、面光源的な発光が要求される用途に対しても、比較的に少ない数のＬＥＤで対応できるものとなる。
【０００４】
また、前記光源取付板９１ａを取り囲む反射面９１ｂが直角以上の角度で接続されている、即ち、観視方向に拡がって取付けられていて、夫々の反射面９１ｂにＬＥＤ９２の写像が映り込むものとなるので、照射角度も拡大して、より広い範囲から点灯が確認できるものとなる。
【特許文献１】特開２０００−３３１５０９号公報
【発明の開示】
【発明が解決しようとする課題】
【０００５】
しかしながら、前記した従来の構成では、ＬＥＤ９２を前記光源取付板９１ａの上面から突出するように取付ければ、反射面９１ｂに対する映り込みの効率が低く、よって、使用可能なＬＥＤ９２は、例えば、砲弾型、或いは、ドーム型と称されているケース全体が光輝するものを採用せざるを得ないものとなっていた。
【０００６】
従って、確かに反射により光る点の数は増えるものの、単に同一の形態のＬＥＤが複数個存在しているのと見栄えは変わらず、装飾的な効果はそれ程に得られないものであった。また、前記した砲弾型のＬＥＤ９２では形状がほぼ同一であるので、その面からもバリエーションが少なくなるという問題点を生じていた。
【０００７】
また、近年においては、チップタイプＬＥＤ、平面実装型ＬＥＤなどと称されて、発光面が比較的に広い面積を有する平面であり、照明に適するＬＥＤ９２も市場に供給されているが、この平面実装型ＬＥＤを上記灯具ユニット９０に採用しようとすると、前記光源取付板９１ａに孔を開けるなどしてＬＥＤ９２の発光部分を望ませるなどの手段が必要となり、光の利用効率も低下するものとなっていた。
【課題を解決するための手段】
【０００８】
本発明は、上記した従来の灯具ユニット９０に生じる課題を解決するための具体的手段として、円板状若しくは多角形状とした光源設置面と、前記光源設置面と直角以上の角度で接する反射面とからなり、前記光源設置面の上部にはこの光源設置面の下面に設置された面状光源からの光を光源設置面の上部に導き、前記反射面に達する光量を増加させて視認性を向上させるための導光体が設けられていることを特徴とする灯具ユニットを提供することで、多様なデザインの灯具ユニットの実現を可能として課題を解決するものである。
【発明の効果】
【０００９】
本発明により、光源設置面の下面には面状光源を設置し、光源設置面の上面には導光体を設ける構成としたことで、導光体としては自由な形状が選択できるものとなり、これにより、反射面に達する光量の増加が図れる形状が選択できるようになると共に、デザイン的な形状にも自由度が増し、反射面に生じる写像にも見栄えのするデザイン性を与えて、商品性の向上にも効果を奏するものとすることができる。
【発明を実施するための最良の形態】
【００１０】
つぎに、本発明を図に示す実施形態に基づいて詳細に説明する。図１に符号１で示すものは、本発明に係る灯具ユニットであり、この灯具ユニット１には、例えば、円板状、あるいは、正三角形など多角形の板状とした光源設置面２と、この光源設置面２に対して直角以上の角度を有して接せられた反射面３と、光源とするＬＥＤ４とから構成されるものである点は従来例のものと同様である。
【００１１】
また、前記光源設置面２の略中心となる位置には貫通孔２ａが設けられ、従来例のものにおいては、前記貫通孔２ａから砲弾型のＬＥＤは突出して取付けられていたが、本発明においては、ＬＥＤ４はチップ型とされて、前記光源設置面２の背面にＬＥＤ４のチップ４ａが望むようにして取付けられている。
【００１２】
そして、前記光源設置面２の各辺には反射面３が取付けられている。よって、本発明の構成においては、ＬＥＤ４のチップ４ａ表面から発せられる光の量は、前記貫通孔２ａを通過する方向の光、即ち、光源設置面２に対して直角方向に向かうものが圧倒的に多くなり、砲弾型のＬＥＤを採用した従来のものに比較して、反射面３の方向に向かうも光量が少なくなることが予想される。
【００１３】
そこで、本発明では、前記貫通孔２ａの、チップ４ａが取付けられたのと反対側の面には、透明樹脂などで、例えばプリズム状など、チップ４ａから発せられた光を反射面３に達するような形状に形成された導光体５が設けられている。尚、図１では光源設置面２と反射面３とが別体の部材で形成されているものとして記載されているが、一体に形成しても良いことは云うまでもない。
【００１４】
このようにすることで、例えば、三角形の光源設置板２に対しては、三角錐状の導光体５を適宜な向きとして取付けることで、各反射面３に対して光を供給することが可能となる。尚、このときには、例えば、図２に示すように前記した三角錐状の各面を屈折させておけば、前記導光体５からの光は水平方向に三分割されると共に、垂直方向には２分割され、各反射面３における反射光の形状に更なる変化を与えることができるものとなる。
【００１５】
図３は、本発明の第二実施形態であり、前の実施形態では前記導光体５を角錐状としていたが、例えば、図３に示すように角柱状としても良く、この場合には、角柱状の各辺にレンズカットを施すなどして、夫々の反射面３に模様状に光が到達するようにし、それらの反射光が更に他の反射面で再反射して、複雑な模様を生じるようにしても良い。
【００１６】
即ち、上記の導光体５を角柱状とした場合は、従来はＬＥＤ２からの点状の反射光が複数の反射面３で反射を繰り返すことで、点状の集まりとしての照明光が得られるものであったが、この第二実施形態によれば、面状の照明光も得られるものとなり、且つ、多面の反射面３間で反射が行われることで、幾何学的模様などの表現も可能となるものである。
【００１７】
図４は、本発明の第三実施形態であり、前の実施形態においては、光源設置面２は何れも多角形として形成されていたが、本発明は、これを限定するものではなく、光源設置面２は、例えば、円板状、あるいは、楕円面状であっても良い。但し、この場合にも、反射面３は、前記光源設置面２に対して直角以上の角度で接続されていることが要求されるので、ホーン状、コーン状などと称されている形状となる。
【００１８】
そして、光源設置面２の貫通孔２ａの内側には、前記ＬＥＤ４からの光を同行する導光体５が設けられるものとされるが、この導光体５には表面に適宜なレンズカットを施した丸棒状としても良く、あるいは、内部に拡散剤を混入して、拡散光を伝播するものとしても良く、更には、その表面に適宜な幾何学的模様を形成したものとしても良い。
【００１９】
このようにすることで、反射面３には様々な模様などが写り込むものとなり、装飾効果を一層に高められるものとなり、この灯具ユニット１による照明の演出性を一層に向上させられるものとなる。
【００２０】
更には、上記にも説明したように、ＬＥＤ４をチップタイプのものとしたことで、例えば、貫通孔２ａに望むチップ４ａをＲ（赤）、Ｇ（緑）、Ｂ（青）のフルカラーのものとしておけば、上記に説明した模様の表示なども、所望の色で行えるものとなり、更に一層に装飾的効果を向上させることが可能となる。
【００２１】
よって、単に照明用としての用途に限らず、遊戯機器の装飾照明用、店舗などにおける装飾照明用、あるいは、ショーウウインドにおける装飾照明用など様々な用途にも使用が可能であり、従来以上に広い用途が期待できるものとなる。
【００２２】
また、本発明により導光体５を設けたことで、従来の砲弾型ＬＥＤを使用する場合のようにＬＥＤの形状による制限を受けないものとなり、例えば、長さ、断面形状、色、透明度などを自在に選択できるものとして、使用者が期待する効果が得られるものの供給も可能とする。
【図面の簡単な説明】
【００２３】
【図１】本発明に係る灯具ユニットの構成を示す断面図である。
【図２】本発明の要部である導光体を示す斜視図である。
【図３】本発明の第二実施形態を示す断面図である。
【図４】本発明の第三実施形態を示す斜視図である。
【図５】従来例を示す正面図である。
【符号の説明】
【００２４】
１…灯具ユニット
２…光源設置面
２ａ…貫通孔
３…反射面
４…ＬＥＤ
４ａ…チップ
５…導光体
【図１】
2008084699.tif 000003
【図２】
2008084699.tif 000004
【図３】
2008084699.tif 000005
【図４】
2008084699.tif 000006
【図５】
2008084699.tif 000007